(57)【要約】【課題】本発明は、従来より広い発光面を有して視認性を高めることができる小型携帯ライトを提供することを目的とする。【解決手段】小型携帯ライト１は、平面状のチップオンボードＬＥＤライト２（以下、ＣＯＢライト）と、ＣＯＢライト２を保持し、内部に交換可能な電池が装着されるケース３と、を備える。ケース３は、ＣＯＢライト２の点灯制御をする回路基板および電池を含む電池組体４を収納するケース本体３０と、電池を交換する際に外される電池蓋３１ａと、を備える。ＣＯＢライト２は、ＬＥＤチップ２ａを搭載した発光部基板２１をケース３の外部に配置され、発光部基板２１に連続する部位であってＬＥＤチップ２ａに接続されるリード部を含む基部基板２２をケース３に挿入固定されている。平面状のＣＯＢライトの発光部基板２１をケース３の外部に配置しているので、任意の形状と広い発光面を備えることができ、視認性を向上できる。【選択図】図１
2017069076.tif 000002
【特許請求の範囲】
【請求項１】
平面状のチップオンボードＬＥＤライト（以下、ＣＯＢライトと記す）と、
前記ＣＯＢライトを保持し、内部に電池が装着されるケースと、を備え、
前記ケースは、前記ＣＯＢライトを点灯制御するための回路基板および電池を収納するケース本体と、前記電池を収納後に前記ケース本体に嵌められるケース蓋と、を有し、
前記ＣＯＢライトは、ＬＥＤチップを搭載した発光部基板と、前記発光部基板に連続する部位であって前記ＬＥＤチップに接続されるリード部を含む基部基板と、を有し、
前記発光部基板は前記ケースの外部に配置され、前記基部基板は前記ケースの外部から内部に延設されて前記ケースに固定されていることを特徴とする小型携帯ライト。
【請求項２】
前記電池は、前記回路基板に積層され、
前記ＣＯＢライトは、前記発光部基板の成す面が、前記回路基板および電池の積層面に交差する配置とされていることを特徴とする請求項１に記載の小型携帯ライト。
【請求項３】
前記ケースにおける前記基部基板が延設されて前記ケースの外部から内部に至る部位との対向面に、防水用シール材が嵌め込まれていることを特徴とする請求項１または請求項２に記載の小型携帯ライト。
【請求項４】
前記電池は、二次電池であり、
前記ケースは、内部に収納された前記電池を充電する充電用端子を有していることを特徴とする請求項１乃至請求項３のいずれか一項に記載の小型携帯ライト。
【請求項５】
前記電池は、交換可能であり、
前記ＣＯＢライトは、前記電池を交換するため前記ケース蓋が外されたときに前記ケース本体に固定したままとされることを特徴とする請求項１乃至請求項４のいずれか一項に記載の小型携帯ライト。
【請求項６】
前記ケースの内部で前記リード部を前記回路基板に電気接続する接点構造と、
前記ケースに設けられ、前記基部基板を前記ケース内に挿入する挿入口と、を備え、
前記ＣＯＢライトは、前記基部基板を前記挿入口から挿入することにより前記接点構造によって前記回路基板に電気接続されることを特徴とする請求項１乃至請求項５のいずれか一項に記載の小型携帯ライト。
【請求項７】
前記ＣＯＢライトを前記ケースの外部から前記ケースに固定する固定構造を備え、
前記ＣＯＢライトは、前記ケース本体と前記ケース蓋とを分離することなく前記固定構造による固定と固定解除によって前記ケースから着脱可能とされていることを特徴とする請求項１乃至請求項６のいずれか一項に記載の小型携帯ライト。
【請求項８】
前記ＣＯＢライトは、前記リード部に電気接続されて前記基部基板から延出された接点端子を有し、
前記接点端子はばね性を有する導体線材で成り、この導体線材の先端側がスプリングばねから成る接点とされており、
前記接点は、スプリングばねの付勢力によって前記回路基板の端子に圧接されて電気接続されていることを特徴とする請求項１乃至請求項５のいずれか一項に記載の小型携帯ライト。
【請求項９】
前記発光部基板は、基板の厚み方向に貫通する開口窓を有していることを特徴とする請求項１乃至請求項８のいずれか一項に記載の小型携帯ライト。
【発明の詳細な説明】
【技術分野】
【０００１】
本発明は、小型携帯ライトに関する。
【背景技術】
【０００２】
従来、発光体の照射軸方向を照らすとともに、ケースの表面の所定の部位から光を放射して視認性を高めて安全灯あるいは反射板として使用できる小型携帯ライトが知られている（例えば、特許文献１参照）。
【先行技術文献】
【特許文献】
【０００３】
【特許文献１】特開２００４−１０３４１３号公報
【発明の概要】
【発明が解決しようとする課題】
【０００４】
上述した特許文献１に示される小型携帯ライトは、単一の砲弾型ＬＥＤを有効に使うものであるが、より視認性に優れたものが望まれている。
【０００５】
本発明は、上記課題を解消するものであって、従来より広い発光面を有して視認性を高めることができる小型携帯ライトを提供することを目的とする。
【課題を解決するための手段】
【０００６】
上記課題を達成するために、本発明の小型携帯ライトは、平面状のチップオンボードＬＥＤライト（以下、ＣＯＢライトと記す）と、ＣＯＢライトを保持し、内部に電池が装着されるケースと、を備え、ケースは、ＣＯＢライトを点灯制御するための回路基板および電池を収納するケース本体と、電池を収納後にケース本体に嵌められるケース蓋と、を有し、ＣＯＢライトは、ＬＥＤチップを搭載した発光部基板と、発光部基板に連続する部位であってＬＥＤチップに接続されるリード部を含む基部基板と、を有し、発光部基板はケースの外部に配置され、基部基板はケースの外部から内部に延設されてケースに固定されていることを特徴とする。
【０００７】
この小型携帯ライトにおいて、電池は、回路基板に積層され、ＣＯＢライトは、発光部基板の成す面が、回路基板および電池の積層面に交差する配置とされていることが好ましい。
【０００８】
この小型携帯ライトにおいて、ケースにおける基部基板が延設されてケースの外部から内部に至る部位との対向面に、防水用シール材が嵌め込まれていることが好ましい。
【０００９】
この小型携帯ライトにおいて、電池は、二次電池であり、ケースは、内部に収納された電池を充電する充電用端子を有していることが好ましい。
【００１０】
この小型携帯ライトにおいて、電池は、交換可能であり、ＣＯＢライトは、電池を交換するためケース蓋が外されたときにケース本体に固定したままとされることが好ましい。
【００１１】
この小型携帯ライトにおいて、ケースの内部でリード部を回路基板に電気接続する接点構造と、ケースに設けられ、基部基板をケース内に挿入する挿入口と、を備え、ＣＯＢライトは、基部基板を挿入口から挿入することにより接点構造によって回路基板に電気接続されることが好ましい。
【００１２】
この小型携帯ライトにおいて、ＣＯＢライトをケースの外部からケースに固定する固定構造を備え、ＣＯＢライトは、ケース本体とケース蓋とを分離することなく固定構造による固定と固定解除によってケースから着脱可能とされていることが好ましい。
【００１３】
この小型携帯ライトにおいて、ＣＯＢライトは、リード部に電気接続されて基部基板から延出された接点端子を有し、接点端子はばね性を有する導体線材で成り、この導体線材の先端側がスプリングばねから成る接点とされており、接点は、スプリングばねの付勢力によって回路基板の端子に圧接されて電気接続されていることが好ましい。
【００１４】
この小型携帯ライトにおいて、発光部基板は、基板の厚み方向に貫通する開口窓を有していることが好ましい。
【発明の効果】
【００１５】
本発明の小型携帯ライトによれば、平面状のＣＯＢライトの発光部基板をケースの外部に配置しているので、任意の形状と広い発光面を備えることができ、視認性を高めたものとなる。
【図面の簡単な説明】
【００１６】
【図１】本発明の一実施形態に係る小型携帯ライトの斜視図。
【図２】（ａ）は小型携帯ライトの正面図、（ｂ）は同側面図。
【図３】小型携帯ライトの分解斜視図。
【図４】小型携帯ライトのケース本体にシール材とＣＯＢライトと電池とが装着された状態の斜視図。
【図５】小型携帯ライトの電池交換の様子を示す斜視図。
【図６】（ａ）は回路基板の裏面平面図、（ｂ）は回路基板とスイッチボタン部分の断面図。
【図７】（ａ）はＣＯＢライトの基部基板と接点端子の斜視図、（ｂ）はＣＯＢライトの斜視図。
【図８】（ａ）は小型携帯ライトのケース本体のＣＯＢライトを保持する部分の斜視図、（ｂ）は（ａ）にＣＯＢライトの基部基板を装着した状態の斜視図、（ｃ）は接点端子の接点と回路基板の端子との電気接続を示す断面図。
【図９】小型携帯ライトの使用状態の側面図。
【図１０】図９の下部平面図。
【図１１】図９のＡ−Ａ線断面図。
【図１２】（ａ）は他の実施形態に係る小型携帯ライトの斜視図、（ｂ）は同小型携帯ライトからＣＯＢライトを分離した状態の斜視図。
【図１３】図１２の小型携帯ライトの分解断面側面図。
【図１４】（ａ）はさらに他の実施形態に係る小型携帯ライトの斜視図、（ｂ）は同小型携帯ライトのケース部分の斜視図。
【図１５】（ａ）〜（ｄ）はそれぞれＣＯＢライトの変形例を示す平面図。
【図１６】（ａ）はさらに他の実施形態に係る小型携帯ライトのＣＯＢライトを分離した状態の斜視図、（ｂ）は同小型携帯ライトの斜視図。
【図１７】（ａ）は同小型携帯ライトの挿入口周辺の分解斜視図、（ｂ）は（ａ）の挿入口内部の接点構造と防水用シール材とに基部基板が挿入され状態の斜視図、（ｃ）は（ｂ）のＢ−Ｂ線断面図。
【発明を実施するための形態】
【００１７】
以下、本発明の一実施形態に係る小型携帯ライトについて、図面を参照して説明する。図１、図２に示すように、小型携帯ライト１は、平面状のチップオンボードＬＥＤライト（以下、ＣＯＢライトと記す）２と、ＣＯＢライト２を保持するケース３と、ケース３の内部に装着された電池組体４と、を備えている。
【００１８】
ＣＯＢライト２は、複数のＬＥＤチップ２ａを搭載した平板リング状の発光部基板２１と、発光部基板２１に連続する部位であって、ＬＥＤチップ２ａに接続されるリード部を含む腕状の突出部である基部基板２２と、を有している。発光部基板２１はケース３の外部に配置されている。発光部基板２１は、発光部基板２１の表と裏との間を基板の厚み方向に貫通する開口窓１０を有している。ＬＥＤチップ２ａは、発光部基板２１の一面における円周上に搭載されている。基部基板２２はケース３の外部から内部に延設されてケース３の内部に固定されている。
【００１９】
ＣＯＢライト２は、例えば、アルミニウムなどの金属基板に、絶縁された導体回路パターンを形成し、その金属基板にＬＥＤチップ２ａを直接実装し、各ＬＥＤチップ２ａと導体回路パターンとを、ワイヤーボンディングなどによって接続して形成される。これらのＬＥＤチップ２ａやワイヤーボンディングなどの導体部分は、外部との接続用のリード部を除いて、例えばシリコーン樹脂などの透明絶縁樹脂によって覆われて保護される。透明絶縁樹脂は、蛍光物質を含むことができる。ＣＯＢライト２は、これらの構造に限られず、他の種々の構成のものを用いることができる。
【００２０】
ケース３は、ケース本体３０と、ケース本体３０にねじ止めされるケース蓋３１とを有している。ケース本体３０は、電池組体４と、ＣＯＢライト２の基部基板２２とを収納する。ケース蓋３１は、ケース本体３０と組み合わされて電池組体４と基部基板２２とをケース３に固定し、かつ、これらをケース３内に封止状態とする。ケース３は、小型携帯ライト１を固定し、または保持する支柱にケース３を取り付けるための取付手段として、ケース本体３０の端部に設けられた当接部材３２と、当接部材３２に嵌合して保持されて当接部材３２と支柱との間に介在するクッション部材３３とを有している。
【００２１】
ケース蓋３１は、電池蓋３１ａと固定蓋３１ｂとを有している。電池蓋３１ａは、電池４１を収納後にケース本体３０に嵌められる蓋である。また、電池蓋３１ａは、電池組体４に組み込まれた電池を交換する際に外される蓋である。固定蓋３１ｂは、ＣＯＢライト２をケース３に固定するための蓋である。ＣＯＢライト２は、電池蓋３１ａが外されたときに、固定蓋３１ｂによってケース本体３０に固定したままとされる。
【００２２】
次に、図３を参照して、小型携帯ライト１の構造をより詳細説明する。小型携帯ライト１は、上述のＣＯＢライト２と、ケース３と、電池組体４とに加え、さらに、防水用シール材５と、防水仕様のスイッチボタン６とを備えている。ＣＯＢライト２は、基部基板２２から延出された２本の接点端子２３を有している。
【００２３】
ケース３のケース本体３０は、電池組体４を収納する凹部３０ａと、スイッチボタン６の操作部をケース３の外部に露出させる開口３０ｂと、ＣＯＢライト２の基部基板２２を挿入する切欠３ａと、防水用シール材５が嵌め込まれるシール溝５ａと、を有している。固定蓋３１ｂは、ケース本体３０に組み合わされた状態で切欠３ａに対向する位置に、切欠３ａに連通する切欠３ｂを有している。基部基板２２は、切欠３ａ，３ｂの位置で、ケース本体３０と固定蓋３１ｂによって挟持される。
【００２４】
電池組体４は、金属製の電池枠４０と、２つの平板状の電池４１と、ＣＯＢライト２を点灯制御するための回路基板４２と、を有している。電池４１は、例えば、ボタン電池である。電池枠４０と回路基板４２とは電池４１と略同形の円形状の外形を有している。電池４１は、回路基板４２の上に積層され、電池枠４０によって回路基板４２に向けて押さえられて、電池枠４０と回路基板４２とともに、扁平な円柱状の電池組体４を構成する。積層された電池４１の一方の極性側は回路基板４２に対向して回路基板４２に電気接続され、他方の極性側は電池枠４０を介して回路基板４２に電気接続される。電池４１は、回路基板４２と電池枠４０の間から着脱自在である。
【００２５】
防水用シール材５は、大中小３つの円環部５１，５２，５３を組み合わせた形状を有する。大きな円環部５１と中型の円環部５２は、同一平面上にあって、共有部５０で互いに連接している。小さな円環部５３は、円環部５１，５２の成す平面に直交する平面上にあって、中型の円環部５２の一部に形成されている。防水用シール材５は、例えば、合成ゴムや天然ゴムなどを用いたゴム製品であり、一体成形や接着などによって円環部５１，５２，５３を一体化したものである。
【００２６】
円環部５１は、ケース本体３０と電池蓋３１ａの合わせ面にあって、電池組体４を封止する。円環部５２は、ケース本体３０と固定蓋３１ｂの合わせ面にあって、基部基板２２を封止する。円環部５３は、切欠３ａと基部基板２２の表面との間、および切欠３ｂと基部基板２２の表面との間にあって、ケース３から導出される位置における基部基板２２の周回面において、基部基板２２を封止する。言い換えると、ケース３における基部基板２２が延設されてケース３の外部から内部に至る部位との対向面に、防水用シール材５の円環部５３が嵌め込まれている。このため、ケース本体３０と固定蓋３１ｂの各切欠３ａ，３ｂには、円環部５３が嵌め込まれるシール溝がそれぞれ形成されている。小型携帯ライト１が組み立てられて最終的に３つの円環部５１，５２，５３による封止が全て機能したときに、スイッチボタン６による封止と合わせて、ケース３の内外の封止が実現される。
【００２７】
図４は、ケース本体３０に、ＣＯＢライト２と、電池組体４と、防水用シール材５と、スイッチボタン６と、を装着した状態を示す。装着状態における電池組体４とケース本体３０のとり得る相対位置は、回路基板４２の形状と凹部３０ａの形状とによって２種類に制限されている。すなわち、図示の状態と、この状態から電池組体４の円柱中心軸回りに１８０度回転した状態の２つの状態のいずれかである。いずれの状態でも、回路基板４２とＣＯＢライト２との間の正常な電気的接続がなされる（図６参照）。
【００２８】
小型携帯ライト１の組み立て手順例を説明する。まず、防水用シール材５の円環部５３に、２本の接点端子２３が挿通され、その後、基部基板２２が挿通される。次に、防水用シール材５がケース本体３０のシール溝に装着される。この装着は、ケース本体３０と防水用シール材５に対する、ＣＯＢライト２の相対位置の微調整を経て行われる。電池組体４の装着は、電池組体４を凹部３０ａに配置するだけである。
【００２９】
次に、図５に示すように、固定蓋３１ｂがケース本体３０の所定位置に配置され、ケース本体３０に、ねじ止め固定される。このとき、円環部５３の露出部が、固定蓋３１ｂの切欠３ｂにおけるシール溝に押し込まれる。また、円環部５２は、ケース本体３０に対向する固定蓋３１ｂの面によって押圧される。このとき、防水用シール材５の共有部５０は、円環部５２に属する一部分が押圧されて隠れた状態にあり、円環部５１に属する他の一部分は、露出した状態にある。
【００３０】
この状態で、電池組体４は、ケース本体３０に対して出し入れ自在であり、ケース本体３０から電池組体４を取り出し、電池組体４から容易に電池４１を取り出して交換することができる。電池組体４が装着された状態で、電池蓋３１ａがケース本体３０にねじ止め固定される。円環部５１は、ケース本体３０に対向する電池蓋３１ａの面によって押圧される。また、電池蓋３１ａが固定されたとき、ケース３の内部の電池組体４は、スイッチボタン６のシール部をケース本体３０の凹部３０ａに押圧し、封止が実現される。
【００３１】
次に、図６、図７、図８を参照して、電気的接続について説明する。図６（ａ）に示すように、回路基板４２は、その裏面（電池４１に面しない面）に、ＣＯＢライト２の２本の接点端子２３に電気接続して電力を供給する互いに異極性の端子４２ａ，４２ｂを２組、各組が互いに回転対称配置となる位置に有している。また、回路基板４２の裏面中央には、互いに噛み合わされた櫛歯状の電極４２ｃ，４２ｄが設けられている。電極４２ｃ，４２ｄは互いに絶縁されており、これらを互いに短絡させることにより、回路基板４２における電気回路に対する動作の指令を行うことができる。
【００３２】
回路基板４２は、ＣＯＢライト２を点灯させたり、点滅させたりするため、電池４１からの電力を変換して出力する電源部、点滅を時間変化させたり、回路の状態を自己保持させたりする制御部などを構成するための回路素子や回路パターンなどを備えている。
【００３３】
図６（ｂ）に示すように、スイッチボタン６は、ケース本体３０から外部に突出した操作部６ａと、櫛歯状の電極４２ｃ，４２ｄに離間して対向する導通部６ｂと、ケース本体３０の凹部３０ａの底面と回路基板４２との間にあって押圧された状態にある固定部６ｃとを有している。操作部６ａと固定部６ｃとは、合成ゴムなどの弾性体によって互いに一体的に形成されている。導通部６ｂは、操作部６ａや固定部６ｃを形成する材料に導電性を持たせ、または金属片を接着や嵌合によって固定することにより形成される。固定部６ｃは、防水用シール材として機能する。
【００３４】
導通部６ｂは、操作部６ａが外部から押圧されることによって、電極４２ｃ，４２ｄに接触し、これらの電極間を短絡させる。また、導通部６ｂは、操作部６ａへの押圧力を解除することにより、スイッチボタン６の弾性によって電極４２ｃ，４２ｄから離間し、短絡が解除される。電極４２ｃ，４２ｄ間の短絡と短絡解除とを繰り返すことにより、回路基板４２における制御状態を順次変化させることができる。
【００３５】
図７（ａ）（ｂ）に示すように、ＣＯＢライト２の基部基板２２は、円盤状の発光部基板２１から矩形状に延出した基板からなる。基部基板２２は、互いに対向する辺縁にそれぞれ矩形状の切欠によって形成された係合部２２ａを有している。基部基板２２は、発光部基板２１上の各ＬＥＤチップ２ａに電力を供給するリード部２０を有し、リード部２０は、基部基板２２の端部側に２つ併設された半田接続用の導体パターンである接続端子２２ｂに終端している。接続端子２２ｂには、ばね性を有する導体線材で形成された接点端子２３の一端が半田付けされている。
【００３６】
接点端子２３の他端（先端側）は、円錐状に拡径して終端するスプリングばねから成る接点２３ａが形成されている。接点２３ａと接続端子２２ｂとの間の導体線材である線材リード２３ｂは、接点２３ａを回路基板４２の端子４２ａ，４２ｂに導くための長さと、適宜の屈曲形状とを備えている。
【００３７】
図８（ａ）（ｂ）に示すように、ケース本体３０は、切欠３ａに近い側の凹部３０ａの底面に、円弧状の凸条で囲まれた端子座部３０ｃを２つ有している。これらの端子座部３０ｃの位置は、凹部３０ａに電池組体４が装着されたときに、その回路基板４２の端子４２ａ，４２ｂが配置される位置に対応する。基部基板２２がケース本体３０の所定位置に装着されると、２つの接点２３ａの各々が、それぞれ対応する端子座部３０ｃに位置決めされた状態となる。接点２３ａに至るまでの途中の２本の線材リード２３ｂは、互いに接触しないように、ケース本体３０に一体成形された隔壁によって絶縁されている。
【００３８】
また、ケース本体３０は、切欠３ａから内部に入った位置に、ブロック状の係合凸部３０ｄを有している。ＣＯＢライト２の基部基板２２を切欠３ａに挿入して所定位置に調整すると、基部基板２２の係合部２２ａとケース本体３０の係合凸部３０ｄとが互いに係合状態となる。このような係合状態は、基部基板２２と固定蓋３１ｂとの間においても形成される。基部基板２２は、その係合部２２ａによってケース３に位置決め固定される。
【００３９】
図８（ｃ）に示すように、接点２３ａは、端子座部３０ｃの中に圧縮された状態で納められ、スプリングばねから成る接点２３ａの付勢力によって回路基板４２の端子４２ａに圧接され電気接続される。端子４２ｂについても同様である。このようにして、接点２３ａはスプリングばねから成る自らの付勢力によって付勢され、ＣＯＢライト２は付勢された接点間（接点２３ａと端子４２ａ間、および他の接点２３ａと端子４２ｂ間）の接触によってリード部２０が回路基板４２に電気接続される。
【００４０】
次に、図９、図１０、図１１を参照して、小型携帯ライト１を固定することについて説明する。ここで、小型携帯ライト１は、例えば、自転車用の安全灯として用いられるものであり、自転車のシートポスト９（サドル支柱）に固定して用いられるものとする。シートポスト９は、通常、後方に傾斜している。そこで、小型携帯ライト１をシートポスト９に取り付ける取付手段である当接部材３２は、ＣＯＢライト２の成す平面に対して、シートポスト９の傾斜角度に応じた角度だけ傾斜されている。
【００４１】
当接部材３２は、シートポスト９の円柱面に沿う溝形状に形成されている。その溝を形成する両側の壁面には、固定用の部材、例えば、面ファスナを有するベルト９１を挿通するための開口３２ａを有している。また、クッション部材３３は、当接部材３２に嵌合して保持された状態で開口３２ａに連通する開口３３ａを有している。小型携帯ライト１がベルト９１によってシートポスト９に取り付けられると、ＣＯＢライト２は、後方に向けて発光可能な配置となる。自転車後方や斜め後方の車両等に乗っている者は、小型携帯ライト１の発光によって、前方視野内における自転車の存在を視認することができる。
【００４２】
ケース３は、例えば、硬質樹脂を用いた樹脂成形によって形成される。クッション部材３３は、ベルト９１による締め付け力によって変形し小型携帯ライト１がシートポスト９からずれ落ちない摩擦力を発生するように、適度に弾性変形するゴムや硬質スポンジなどの弾性体で形成される。また、クッション部材３３は、シートポスト９の円柱面に沿う溝形状に形成される。立体的なクッション部材３３に代えて、シート状のクッション部材を当接部材３２とシートポスト９との間に介在させてもよい。
【００４３】
本実施形態の小型携帯ライト１によれば、平面状のＣＯＢライト２の発光部基板２１をケース３の外部に配置しているので、任意の形状と広い発光面を備えることができ、視認性を高めたものとすることができる。
【００４４】
図１２、図１３は、他の実施形態に係る小型携帯ライト１を示す。この小型携帯ライト１は、ケース３がケース本体３０と、ケース蓋３１の２つからなる。ケース蓋３１は、図１に示した実施形態における電池蓋３１ａと固定蓋３１ｂとを一体化したものに相当し、ケース蓋３１が電池蓋であり、ケース蓋３１を取り外すことにより、ケース３内部の電池組体４を取り出して電池４１を交換することができる。
【００４５】
ＣＯＢライト２は、固定手段として、例えば、ねじ止め、スナップフィットなどの係合爪などを用いて、その基部基板２２をケース本体３０に固定される。この固定により、ＣＯＢライト２は、ケース蓋３１、すなわち電池蓋を取り外したときに、ケース本体に固定したままとされる。この実施形態の小型携帯ライト１は、図１に示した実施形態における取付手段である当接部材３２やクッション部材３３を備えていなく、防水用シール材５も備えていない簡単な構成とされている。
【００４６】
図１４は、さらに他の実施形態に係る小型携帯ライト１を示す。この小型携帯ライト１は、図１２に示した小型携帯ライト１の変形例であり、ＣＯＢライト２がケース３の側面方向ではなく、上面方向に配置されている。ケース蓋３１は、電池蓋３１ａと固定蓋３１ｂとに２分割されている。この小型携帯ライト１は、例えば、廊下の床面や道路面などに載置して、通行者の案内灯として簡便に用いることができる。
【００４７】
図１５は、ＣＯＢライト２の種々の変形例を示す。ＣＯＢライト２は、図１５に示すように、その発光部基板２１の形状やＬＥＤチップ２ａの配置形状を、四角形、三角形、ハート型、禁止マーク型、などとすることができ、これらの他に、任意に変更して、ケース３に実装することができる。発光部基板２１は、開口窓１０を有するリング状平板などに限らず、開口窓のない丸型や種々の形状の平板に、複数のＬＥＤチップ２ａによって配置パターンを形成したものとすることができる。このような、ＣＯＢライト２の発光部基板２１の形状の変更容易性は、ＬＥＤチップ２ａを搭載した発光部基板２１がケース３の外部に配置されていることによる。
【００４８】
これらの各種のＣＯＢライト２は、その基部基板２２の形状を共通の形状とすることにより、同一形状のケース３に実装することができ、同一の金型を用いて形成したケース３に対して、種々のＣＯＢライト２を備えた小型携帯ライト１のバリエーションを作ることができる。また、使用者が、他の形状のＣＯＢライト２に交換することもできる。この場合、ＣＯＢライト２が、図８（ｃ）に示したように、付勢された接点間の接触によって回路基板４２に電気接続されているので、はんだ付けなどによる電気接続と異なり、ＣＯＢライト２はケース３から着脱自在であり、容易に交換することができる。発光部基板２１は、ケース３の外部に配置されるので、デザイン性や用途等に応じて、任意の形状とすることができる。
【００４９】
図１６、図１７は、さらに他の実施形態に係る小型携帯ライト１を示す。小型携帯ライト１は、図１６に示すように、図１２に示した小型携帯ライト１と同様のＣＯＢライト２とケース３とを備えており、ケース３の内部に上述と同様の回路基板４２を備えているが、電池４１が二次電池であり、ケース３と基部基板２２が互いにソケットとプラグの関係となる構成を備えている。
【００５０】
小型携帯ライト１は、内部に収納された電池４１を充電する充電用端子４３をケース３の側面に備えている。充電用端子４３は、複数の端子を有し、例えば、ＵＳＢ用の挿入口の形状と端子構造とすることができる。この充電用端子は、ゴム栓などを用いた防水構造とすることが好ましい。小型携帯ライト１は、電池４１が消耗した際に、電池４１を交換することなく、このような充電用端子４３を介して、電池４１を充電することができる。
【００５１】
ケース３は、ケース本体３０に設けられた切欠３ａとケース蓋３１に設けられた切欠３ｂとを合わせて構成される挿入口３ｃを有している。本実施形態のＣＯＢライト２は、挿入口３ｃから基部基板２２をケース３内に挿入してケース３に装着し、または、挿入口３ｃから基部基板２２を抜去してケース３から分離することができる。
【００５２】
また、ケース３は、挿入口３ｃに挿入されたＣＯＢライト２をケース３の外部からケース３に固定する固定構造７を備えている。固定構造７は、挿入口３ｃの近くから基部基板２２の挿抜方向に沿って外方に突き出た突出部としてケース３に形成され、その突出部の先端に係合爪７ａを有している。係合爪７ａは、ケース３に装着されたＣＯＢライト２の開口窓１０の内壁における被係合部２１ａに係合して、ＣＯＢライト２をケース３に固定し、抜けを防止する。基部基板２２は、固定構造７を押し曲げて係合爪７ａを基部基板２２の挿入経路上から退避させた状態で挿入口３ｃからケース３内に挿入され、また、ケース３から抜去される。固定構造７は、係合爪７ａを有するスナップフィットの構成とすることに限られず、任意の係合構造や、ねじ止め構造などとしてもよい。また、小型携帯ライト１は、固定構造７などを備えない構成としてもよい。
【００５３】
図１７に示すように、ケース３の挿入口３ｃの内部には、入り口近くに防水用シール材５が備えられ、その奥に、ケース３の内部でＣＯＢライト２のリード部２０を回路基板４２に電気接続する接点構造８が備えられている。接点構造８は、回路基板４２に接続されているばね製端子８ａ，８ｂを有する。防水用シール材５は、例えば、ゴム製のＯリングであり、ケース３における挿入口３ｃの内側に設けられたシール溝に嵌め込まれている。防水用シール材５は、挿入口３ｃに挿入された基部基板２２の挿入方向回りの周回面と、その周回面に対向するケース３側のシール溝との間にあって、挿入口３ｃを封止する。防水用シール材５は、基部基板２２の挿入と抜去が自在で、挿入時に封止可能となるように設けられている。
【００５４】
ばね製端子８ａとばね製端子８ｂとは、それぞれ一対あって、基部基板２２をその厚み方向から圧接して挟持するソケット構造の端子を構成している。ばね製端子８ａ，８ｂは、基部基板２２が挿入口３ｃから挿入されたとき、それぞれ基部基板２２に設けられた互いに異極の接続端子２２ｂに圧接され電気的に接続される。接続端子２２ｂは、基部基板２２が構成するプラグ構造の端子を構成している。接続端子２２ｂは、基部基板２２の両面に備えてもよく、片面だけに備えてもよい。また、ばね製端子８ａ，８ｂは、基部基板２２の片面から接続端子２２ｂに電気接続する構成としてもよい。
【００５５】
この実施形態の小型携帯ライト１によれば、ＣＯＢライト２は、ケース本体３０とケース蓋３１とを分離することなく固定構造７による固定と固定解除によってケース３から着脱することができる。また、内部にばね製端子８ａ，８ｂを有するケース３と基部基板２２とが、互いにソケットとプラグの関係にあるので、ケース３をケース本体３０とケース蓋３１とに分離することなく、ケース３に対してＣＯＢライト２を容易に着脱することができる。また、挿入口３ｃに配設された防水用シール材５によって、小型携帯ライト１を防水構造とすることができる。この場合、ケース本体３０とケース蓋３１との接合面には、シール材や接着剤などを用いる任意の防水構造を備えることができる。
【００５６】
上述の各実施形態において、ＣＯＢライト２は、平面状の発光部基板２１の成す面が、回路基板４２および電池４１の積層面に直交する配置とされている。小型携帯ライト１は、このような配置を有することにより、ＣＯＢライト２の形状を立体的に活用して視認性を向上することができる。例えば、平板リング状のＣＯＢライト２は、その開口窓１０の背後に電池や回路基板などの介在物が存在しない開放空間とすることができ、その開口窓１０を通してＣＯＢライト２を視認する人に立体的に把握させることができ、視認性が向上する。また、ＣＯＢライト２は、その両面を有効に用いることができる。ＣＯＢライト２の配置は、発光部基板２１の成す面が、回路基板４２および電池４１の積層面に直交する配置に限られず、交差する配置とされていればよく、その交差角度は９０度に近いほどケース３との重なりを避けることができるので望ましい。
【００５７】
なお、本発明は、上記構成に限られることなく種々の変形が可能である。例えば、上述した各実施形態や変形例の構成を互いに組み合わせた構成とすることができる。ＣＯＢライト２は、片面だけにＬＥＤチップ２ａを備える構成に限られず、両面にＬＥＤチップ２ａを備える構成とすることもできる。例えば、２枚の発光部基板２１の裏面を貼り合わせたものとしてもよい。また、回路基板４２は、複数のＬＥＤチップ２ａの各々を任意の発光パターンと時系列パターンで点灯制御する機能を備えることができる。ケース本体３０とケース蓋３１との接合固定は、ねじ止めに限られず、係合爪などを用いる任意の構成と方法で行うことができる。
【符号の説明】
【００５８】
１    小型携帯ライト
１０    開口窓
２    ＣＯＢライト
２０    リード部
２１    発光部基板
２２    基部基板
２２ｂ    接続端子
２３    接点端子
２３ａ    接点
２ａ    ＬＥＤチップ
３    ケース
３０    ケース本体
３１    ケース蓋
３１ａ    電池蓋
３ｃ    挿入口
４    電池組体
４１    電池
４２    回路基板
４３    充電用端子
５    防水用シール材
７    固定構造
８    接点構造
８ａ，８ｂ    ばね製端子（接点構造）
【図１】
2017069076.tif 000003
【図２】
2017069076.tif 000004
【図３】
2017069076.tif 000005
【図４】
2017069076.tif 000006
【図５】
2017069076.tif 000007
【図６】
2017069076.tif 000008
【図７】
2017069076.tif 000009
【図８】
2017069076.tif 000010
【図９】
2017069076.tif 000011
【図１０】
2017069076.tif 000012
【図１１】
2017069076.tif 000013
【図１２】
2017069076.tif 000014
【図１３】
2017069076.tif 000015
【図１４】
2017069076.tif 000016
【図１５】
2017069076.tif 000017
【図１６】
2017069076.tif 000018
【図１７】
2017069076.tif 000019